(57)【要約】【課題】  常時十分な冷却水量を確保する。【解決手段】  第１復水部第１入口弁４６が開放状態、第１復水部第２入口弁４７が閉止状態、第１復水部第１出口弁４８が開放状態、第１復水部第２出口弁４９が閉止状態とされて、冷却水ポンプ２１が運転されて、矢印Ａ１に示す向きに、冷却水が通流している状態で、切換操作が行われると、第１復水部第１出口弁４８が閉止状態、第１復水部第１入口弁４６が閉止状態、第１復水部第２入口弁４７が開放状態、第１復水部第２出口弁４９が開放状態とされる。これによって、第１復水部１７には、矢印Ａ１と逆向きに、冷却水が通流する。【選択図】  図３
2010196956.tif 000002
【特許請求の範囲】
【請求項１】
冷却水がそれぞれ通流される少なくとも一対の復水部と、前記復水部へ冷却水を供給する冷却水供給手段とを備え、前記復水部によって蒸気を冷却水と熱交換させて冷却し、凝縮させて復水するための復水ユニットであって、
前記冷却水供給手段は、取水源から取水された冷却水を前記復水部内を第１の向きに沿って通流させて、放水先へ放水するための第１の流路と、前記取水源から取水された冷却水を前記復水部内を前記第１の向きと逆の第２の向きに沿って通流させて、放水先へ放水するための第２の流路とで切り換える流路切換手段を、前記復水部毎に有する
ことを特徴とする復水ユニット。
【請求項２】
前記復水部には、対向流の冷却水がそれぞれ通流され、かつ、前記復水部は、蒸気の導入方向に対して並列されるとともに、
前記冷却水供給手段は、冷却水を前記取水源から前記復水部を経て前記放水先まで通流させるためのポンプ装置と、
前記取水源から取水された冷却水を前記復水部の第１の端部又は第２の端部から流入させるための第１の配管と、
冷却水を前記復水部の前記第２の端部又は前記第１の端部から前記放水先へ流出させるための第２の配管と、
冷却水流入先として前記第１の端部と前記第２の端部とのうち一方を選択するための前記流路切換手段としての第１の弁装置、及び冷却水流出元として前記第２の端部と前記第１の端部とのうち一方を選択するための前記流路切換手段としての第２の弁装置とを、前記復水部毎に独立に有する
ことを特徴とする請求項１に記載の復水ユニット。
【発明の詳細な説明】
【技術分野】
【０００１】
この発明は、例えば、火力発電所において、蒸気タービンからの排気としての蒸気を冷却して凝縮し、復水するための復水ユニットに関する。
【背景技術】
【０００２】
従来より、火力発電所では、図５及び図６に示すように、タービン部を構成する蒸気タービンからの排気としての蒸気は、排気室を経て復水器１０１に流入し、第１復水部１０２及び第２復水部１０３を構成する冷却管（不図示）で冷却されて、凝縮され、水となる。
【０００３】
冷却水は、冷却水供給部によって、取水路Ｓａから取水され、第１復水部１０２及び第２復水部１０３に供給される。冷却水供給部は、図５及び図６に示すように、取水路Ｓａから冷却水としての例えば海水を取水するための冷却水ポンプ１０４，１０５と、それぞれ、冷却水を通流させるための第１流入配管１０７，１０８、１１１、第１流出配管１１２，１１４、第２流入管１１６，１１７、１１８、第２流出配管１１９，１２１、及び連絡配管１０９，１１３，１２２と、それぞれ、冷却水の通流路を開閉するための第１復水部入口弁１２４、第１復水部出口弁１２５、第２復水部入口弁１２６、第２復水部出口弁１２７、及び連絡弁１２９，１３１とを有している。
【０００４】
ここで、冷却水ポンプ１０４によって取水路Ｓａから取水された例えば海水が流入する第１流入配管１０７の下流側端部には、第１流入配管１０８が接続され、第１流入配管１０８の下流側端部には、第１流入配管１１１、連絡配管１０９が接続されている。第１流出配管１１２の下流側端部は、第１流出配管１１４、連絡配管１１３が接続され、第１流出配管１１４を介して、冷却水が放水路Ｓｂに放水される。
【０００５】
また、冷却水ポンプ１０５によって取水路Ｓａから取水された海水が流入する第２流入配管１１６の下流側端部には、第２流入配管１１７が接続され、第２流入配管１１７の下流側端部には、第２流入配管１１８、連絡配管１１３が接続されている。第２流出配管１１９の下流側端部には、第２流出配管１２１、連絡配管１０９が接続され、第２流出配管１２１を介して、冷却水が放水路Ｓｂに放水される。なお、第１流入配管１０７，１０８の接続箇所と、第２流入配管１１６，１１７の接続箇所とは、連絡配管１２２によって接続されている。
【０００６】
第１復水部入口弁１２４は、第１流入配管１０８の冷却水通流経路上に配置され、第１復水部出口弁１２５は、第１流出配管１１４の冷却水通流経路上に配置されている。また、第２復水部入口弁１２６は、第２流入配管１１７の冷却水通流経路上に配置され、第２復水部出口弁１２７は、第２流出配管１２１の冷却水通流経路上に配置されている。また、連絡弁１２９は、連絡配管１０９の冷却水通流経路上に配置され、連絡弁１３１は、連絡配管１１３の冷却水通流経路上に配置されている。
【０００７】
通常時は、図５に示すように、第１復水部入口弁１２４を開放状態、第１復水部出口弁１２５を開放状態、第２復水部入口弁１２６を開放状態、第２復水部出口弁１２７を開放状態、連絡弁１２９，１３１を閉止状態として、冷却水ポンプ１０４，１０５を運転することで、第１復水部１０２には、図中左向きに、第２復水部１０３には、図中右向きに、冷却水が通流する。
【０００８】
ところで、このように、一つの向きにだけ冷却水を通流させると、汚れや詰まりが発生する。例えば、冷却水中に含まれる無機物や生物に起因する付着物が堆積する。このため、所定期間毎（例えば、１日〜２日毎）に所定時間（例えば、略２０分）、冷却水の通流の向きを反転させて、洗浄（逆洗）を行う（例えば、特許文献１参照。）。例えば、第１復水部１０２の逆洗時には、図６に示すように、第１復水部入口弁１２４を閉止状態、第１復水部出口弁１２５を閉止状態、第２復水部入口弁１２６を開放状態、第２復水部出口弁１２７を開放状態、連絡弁１２９，１３１を開放状態とすることで、第１復水部１０２及び第２復水部１０３には、共に、図中右向きに、冷却水が通流する。逆洗は、第１復水部１０２と第２復水部１０３とで、交互に行う。このときの冷却水通流経路は１系統のみとなる。
【先行技術文献】
【特許文献】
【０００９】
【特許文献１】特開２００５−３２６０８３号公報
【発明の概要】
【発明が解決しようとする課題】
【００１０】
しかしながら、逆洗時には、冷却水量が減少して、復水器１０１内の圧力の絶対値（真空度）が悪化する（真空度が低下する）ため、出力を抑制する必要があった。例えば、定格５００ＭＷのところ、逆洗時には、３００ＭＷ以下としなければならない。
【００１１】
この発明は、前記の課題を解決し、常時十分な冷却水量を確保することができる復水ユニットを提供することを目的としている。
【課題を解決するための手段】
【００１２】
前記の課題を解決するために、請求項１の発明は、冷却水がそれぞれ通流される少なくとも一対の復水部と、前記復水部へ冷却水を供給する冷却水供給手段とを備え、前記復水部によって蒸気を冷却水と熱交換させて冷却し、凝縮させて復水するための復水ユニットであって、前記冷却水供給手段は、取水源から取水された冷却水を前記復水部内を第１の向きに沿って通流させて、放水先へ放水するための第１の流路と、前記取水源から取水された冷却水を前記復水部内を前記第１の向きと逆の第２の向きに沿って通流させて、放水先へ放水するための第２の流路とで切り換える流路切換手段を、前記復水部毎に有することを特徴としている。
【００１３】
請求項１の発明では、復水部毎の流路切換手段が、取水源から取水された冷却水を復水部内を第１の向きに沿って通流させて、放水先へ放水するための第１の流路と、取水源から取水された冷却水を復水部内を第１の向きと逆の第２の向きに沿って通流させて、放水先へ放水するための第２の流路とで切り換える。
【００１４】
請求項２の発明は、請求項１に記載の復水ユニットであって、前記復水部には、対向流の冷却水がそれぞれ通流され、かつ、前記復水部は、蒸気の導入方向に対して並列されるとともに、前記冷却水供給手段は、冷却水を前記取水源から前記復水部を経て前記放水先まで通流させるためのポンプ装置と、前記取水源から取水された冷却水を前記復水部の第１の端部又は第２の端部から流入させるための第１の配管と、冷却水を前記復水部の前記第２の端部又は前記第１の端部から前記放水先へ流出させるための第２の配管と、冷却水流入先として前記第１の端部と前記第２の端部とのうち一方を選択するための前記流路切換手段としての第１の弁装置、及び冷却水流出元として前記第２の端部と前記第１の端部とのうち一方を選択するための前記流路切換手段としての第２の弁装置とを、前記復水部毎に独立に有することを特徴としている。
【発明の効果】
【００１５】
請求項１の発明によれば、復水部毎の流路切換手段が、取水源から取水された冷却水を復水部内を第１の向きに沿って通流させて、放水先へ放水するための第１の流路と、取水源から取水された冷却水を復水部内を第１の向きと逆の第２の向きに沿って通流させて、放水先へ放水するための第２の流路とで切り換えるので、常時十分な冷却水量を確保することができる。
【００１６】
請求項２の発明によれば、冷却水流入先として第１の端部と第２の端部とのうち一方を選択するための第１の弁装置、及び冷却水流出元として第２の端部と第１の端部とのうち一方を選択するための第２の弁装置とが、復水部毎に独立に設けられているので、常時十分な冷却水量を確実に確保することができる。
【図面の簡単な説明】
【００１７】
【図１】この発明の一実施の形態に係る火力発電設備の構成を説明するための説明図である。
【図２】同火力発電設備の復水ユニットの構成を示す図である。
【図３】同復水ユニットの構成及び動作を説明するための説明図である。
【図４】同復水ユニットの構成及び動作を説明するための説明図である。
【図５】従来技術を説明するための説明図である。
【図６】従来技術を説明するための説明図である。
【発明を実施するための形態】
【００１８】
次に、この発明の実施の形態について、図面を用いて詳しく説明する。
【００１９】
図１は、この発明の一実施の形態に係る火力発電設備の構成を説明するための説明図、図２は、同火力発電設備の復水ユニットの構成を示す図、図３及び図４は、同復水ユニットの構成及び動作を説明するための説明図である。
【００２０】
図１に示すように、この発明の実施の形態に係る火力発電設備１は、例えば、発電機２と、給水ポンプ３と、給水ポンプ３から圧縮水が供給され過熱蒸気を生成するボイラユニット４と、蒸気タービンからなり、ボイラユニット４から蒸気が供給され、発電機２を駆動するためのタービン部５と、タービン部５からの排気を凝縮復水させ給水ポンプ３側へ送る復水ユニット６と、脱気器７とを備えている。
【００２１】
復水ユニット６は、図１乃至図４に示すように、復水器９と、冷却水供給部１１と、復水ポンプ１２とを有している。復水器９は、図２に示すように、第１復水部１７と、第２復水部１８とを有している。タービン部５を構成する蒸気タービン１４からの排気としての蒸気は、排気室１５を経て復水器９に流入し、第１復水部１７及び第２復水部１８を構成する冷却管（不図示）で冷却されて、凝縮され、水となる。
【００２２】
冷却水供給部１１は、図３及び図４に示すように、取水路Ｑａから冷却水としての例えば海水を取水するための冷却水ポンプ２１，２２と、それぞれ、冷却水を通流させるための第１流入配管２３，２４、第１分岐配管２５，２６、第１入口配管２７，２８、第１流出配管２９，３１，３２、第２流入配管３４，３５、第２分岐配管３６，３７、第２入口配管３８，３９、第２流出配管４１，４２、４３、及び連絡配管４４と、それぞれ、冷却水の通流路を開閉するための第１復水部第１入口弁４６、第１復水部第２入口弁４７、第１復水部第１出口弁４８、第１復水部第２出口弁４９、第２復水部第１入口弁５１、第２復水部第２入口弁５２、第２復水部第１出口弁５３、及び第２復水部第２出口弁５４とを有している。
【００２３】
ここで、冷却水ポンプ２１によって取水路Ｑａから取水された例えば海水が流入する第１流入配管２３の下流側端部には、第１流入配管２４が接続され、第１流入配管２４の下流側端部には、第１分岐配管２５，２６が接続されている。第１分岐配管２５の下流側端部には、第１復水部１７の一端部に接続された第１入口配管２７と、第１流出配管３２とが接続されている。第１分岐配管２６の下流側端部には、第１復水部１７の他端部に接続された第１入口配管２８と、第１流出配管２９とが接続されている。第１流出配管２９，３２の下流側端部は、第１流出配管３１に接続され、第１流出配管３１を介して、冷却水が放水路Ｑｂに放水される。
【００２４】
また、冷却水ポンプ２２によって取水路Ｑａから取水された海水が流入する第２流入配管３４の下流側端部には、第２流入配管３５が接続され、第２流入配管３５の下流側端部には、第２分岐配管３６，３７が接続されている。第２分岐配管３６の下流側端部には、第２復水部１８の一端部に接続された第２入口配管３８と、第２流出配管４３とが接続されている。第２分岐配管３７の下流側端部には、第２復水部１８の他端部に接続された第２入口配管３９と、第２流出配管４１とが接続されている。第２流出配管４１，４３の下流側端部は、第２流出配管４２に接続され、第２流出配管４２を介して、冷却水が放水路Ｑｂに放水される。なお、第１流入配管２３，２４の接続箇所と、第２流入配管３４，３５の接続箇所とは、連絡配管４４によって接続されている。
【００２５】
第１復水部第１入口弁４６は、第１分岐配管２５の冷却水通流経路上に配置され、第１復水部第２入口弁４７は、第１分岐配管２６の冷却水通流経路上に配置されている。また、第１復水部第１出口弁４８は、第１流出配管２９の冷却水通流経路上に配置され、第１復水部第２出口弁４９は、第１流出配管３２の冷却水通流経路上に配置されている。また、第２復水部第１入口弁５１は、第２分岐配管３６の冷却水通流経路上に配置され、第２復水部第２入口弁５２は、第２分岐配管３７の冷却水通流経路上に配置されている。また、第２復水部第１出口弁５３は、第２流出配管４１の冷却水通流経路上に配置され、第２復水部第２出口弁５４は、第２流出配管４３の冷却水通流経路上に配置されている。
【００２６】
図３に示すように、第１復水部第１入口弁４６を開放状態、第１復水部第２入口弁４７を閉止状態、第１復水部第１出口弁４８を開放状態、第１復水部第２出口弁４９を閉止状態として、冷却水ポンプ２１を運転することで、第１復水部１７には、矢印Ａ１に示す向きに、冷却水が通流する。また、図４に示すように、第１復水部第１入口弁４６を閉止状態、第１復水部第２入口弁４７を開放状態、第１復水部第１出口弁４８を閉止状態、第１復水部第２出口弁４９を開放状態として冷却水ポンプ２１を運転することで、第１復水部１７には、矢印Ａ２に示す向きに、冷却水が通流する。
【００２７】
また、図３及び図４に示すように、第２復水部第１入口弁５１を開放状態、第２復水部第２入口弁５２を閉止状態、第２復水部第１出口弁５３を開放状態、及び第２復水部第２出口弁５４を閉止状態として冷却水ポンプ２２を運転することで、第２復水部１８には、矢印Ｂ１に示す向きに、冷却水が通流する。
【００２８】
第１復水部１７（第２復水部１８）に供給される冷却水の通流経路の切換えは、図示せぬ制御装置の制御によって、第１復水部第１入口弁４６等（第２復水部第１入口弁５１等）の弁装置が開閉操作されて行われる。この実施の形態では、所定の周期（例えば、１日〜２日）で切り換えて、第１復水部１７及び第２復水部１８において、冷却水の通流の向きを反転させる。
【００２９】
次に、図３及び図４を参照して、この実施の形態の冷却水通路切換方法について説明する。まず、図３に示すように、第１復水部第１入口弁４６が開放状態、第１復水部第２入口弁４７が閉止状態、第１復水部第１出口弁４８が開放状態、第１復水部第２出口弁４９が閉止状態とされて、冷却水ポンプ２１が運転されているものとする。この場合、第１復水部１７には、矢印Ａ１に示す向きに、冷却水が通流する。すなわち、冷却水ポンプ２１によって取水路Ｑａから取水された冷却水としての海水は、第１流入配管２３，２４、第１分岐配管２５、第１入口配管２７を通流して、第１復水部１７に一端側から流入し、矢印Ａ１に示す向きに通流して、蒸気を冷却し（蒸気と熱交換し）、第１復水部１７の他端側から流出し、第１入口配管２８、第１流出配管２９，３１を通流して、放水路Ｑｂに放水される。
【００３０】
同時に、図３に示すように、第２復水部第１入口弁５１が開放状態、第２復水部第２入口弁５２が閉止状態、第２復水部第１出口弁５３が開放状態、及び第２復水部第２出口弁５４が閉止状態とされて、冷却水ポンプ２２が運転されているものとする。この場合、第２復水部１８には、矢印Ｂ１に示す向きに、冷却水が通流する。すなわち、冷却水ポンプ２２によって取水路Ｑａから取水された冷却水としての海水は、第２流入配管３４，３５、第２分岐配管３６、第２入口配管３８を通流して、第２復水部１８に一端側から流入し、矢印Ｂ１に示す向きに通流して、蒸気を冷却し（蒸気と熱交換し）、第２復水部１８の他端側から流出し、第２入口配管３９、第２流出配管４１，４２を通流して、放水路Ｑｂに放水される。
【００３１】
次に、図３に示す状態から、第１復水部１７において、冷却水の通流の向きを反転させる場合について述べる。例えば、切換操作が行われると、図４に示すように、まず、第１復水部第１出口弁４８が閉止状態とされ、次に、第１復水部第１入口弁４６が閉止状態とされる。次に、第１復水部第２入口弁４７が開放状態とされ、次に、第１復水部第２出口弁４９が開放状態とされる。これによって、第１復水部１７には、矢印Ａ２に示す向きに、冷却水が通流する。すなわち、冷却水ポンプ２１によって取水路Ｑａから取水された冷却水としての海水は、第１流入配管２３，２４、第１分岐配管２６、第１入口配管２８を通流して、第１復水部１７に他端側から流入し、矢印Ａ２に示す向きに通流して、蒸気を冷却し（蒸気と熱交換し）、第１復水部１７の一端側から流出し、第１入口配管２７、第１流出配管３２，３１を通流して、放水路Ｑｂに放水される。
【００３２】
図４に示す状態から、第１復水部１７において、冷却水の通流の向きを反転させる場合について述べる。例えば、切換操作が行われると、図３に示すように、まず、第１復水部第２出口弁４９が閉止状態とされ、次に、第１復水部第２入口弁４７が閉止状態とされる。次に、第１復水部第１入口弁４６が開放状態とされ、次に、第１復水部第１出口弁４８が開放状態とされる。これによって、第１復水部１７には、矢印Ａ１に示す向きに、冷却水が通流する。すなわち、冷却水ポンプ２１によって取水路Ｑａから取水された冷却水としての海水は、第１流入配管２３，２４、第１分岐配管２５、第１入口配管２７を通流して、第１復水部１７に一端側から流入し、矢印Ａ１に示す向きに通流して、蒸気を冷却し（蒸気と熱交換し）、第１復水部１７の他端側から流出し、第１入口配管２８、第１流出配管２９，３１を通流して、放水路Ｑｂに放水される。
【００３３】
次に、図３及び図４に示す状態から、第２復水部１８において、冷却水の通流の向きを反転させる場合について述べる。例えば、切換操作が行われると、まず、第２復水部第１出口弁５３が閉止状態とされ、次に、第２復水部第１入口弁５１が閉止状態とされ、次に、第２復水部第２入口弁５２が開放状態とされ、次に、及び第２復水部第２出口弁５４が開放状態とされる。これによって、第２復水部１８には、矢印Ｂ２と反対向きに、冷却水が通流する。すなわち、冷却水ポンプ２２によって取水路Ｑａから取水された冷却水としての海水は、第２流入配管３４，３５、第２分岐配管３７、第２入口配管３９を通流して、第２復水部１８に他端側から流入し、矢印Ｂ２と逆向きに通流して、蒸気を冷却し（蒸気と熱交換し）、第２復水部１８の一端側から流出し、第２入口配管３８、第２流出配管４３，４２を通流して、放水路Ｑｂに放水される。
【００３４】
この状態から、図３及び図４に示す状態へ、第２復水部１８において、冷却水の通流の向きを反転させる場合について述べる。例えば、切換操作が行われると、まず、第２復水部第２出口弁５４が閉止状態とされ、次に、第２復水部第２入口弁５２が閉止状態とされ、次に、第２復水部第１入口弁５１が開放状態とされ、次に、第２復水部第１出口弁５３が開放状態とされる。これによって、冷却水ポンプ２２によって取水路Ｑａから取水された冷却水としての海水は、第２流入配管３４，３５、第２分岐配管３６、第２入口配管３８を通流して、第２復水部１８に一端側から流入し、矢印Ｂ２に示す向きに通流して、蒸気を冷却し（蒸気と熱交換し）、第２復水部１８の他端側から流出し、第２入口配管３９、第２流出配管４１，４２を通流して、放水路Ｑｂに放水される。
【００３５】
この実施の形態では、第１復水部１７及び第２復水部１８における冷却水の通流の向きの反転は、冷却水が対向流となるように、略同時に行われる。これにより、通流方向（長さ方向）に沿った水温上昇が補償される。以降、第１復水部１７及び第２復水部１８において、冷却水の通流の向きが、略周期的に反転されることとなる。これにより、第１復水部１７及び第２復水部１８の冷却管内の汚れや詰まりが、常時取り除かれる。すなわち、従来技術におけるように、洗浄工程を特別に実施する必要がない。
【００３６】
こうして、この実施の形態の構成によれば、従来技術におけるように、洗浄時（逆洗時）に連絡弁を介して、冷却水を第１復水部１７及び第２復水部１８に分配する１系統の冷却水通流経路とする構成とせず、第１復水部１７及び第２復水部１８に対応した常時２系統の冷却水通流経路を確保しているので、第１復水部１７及び第２復水部１８において、常に十分な冷却水量位を確保することができる。このため、復水器９内の圧力の絶対値（真空度）を常に良好に保つことができ、出力抑制を回避することができる。
【００３７】
また、第１復水部１７及び第２復水部１８において、冷却水の通流の向きが、周期的に反転されることとなるので、第１復水部１７及び第２復水部１８の冷却管内の汚れや詰まりを、常時除去することができる。すなわち、従来技術におけるように、洗浄工程を特別に実施する必要がない。したがって、従来技術において実施してきた復旧操作も不要となる。このため、切換頻度を低減することができる。
【００３８】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態では、復水器が、単一の第１復水部と、単一の第２復水部との２つの復水部を有する場合について述べたが、２つに限らず３つ以上であっても良い。例えば、第１復水部及び第２復水部を、それぞれ複数設けても良い。ここで、複数の第１復水部（第２復水部）に対応させて、配管をそれぞれ独立に設けても良いし、一部を共通としても良い。また、所定の周期（例えば、１日〜２日）で切り換えるのに代えて、汚れの程度等状況に応じて、切り換えるようにしても良い。また、冷却水の通流の向きによって、通流時間（期間）を変えても良い。切換えは、手動操作によっても良いし、自動的に行っても良い。また、連絡配管を廃しても良いし、通流経路に流路開閉用の弁装置を配置しても良い。また、新設の場合のほか、既設の設備を改修して完全に２系統化するようにしても良い。また、冷却水ポンプは、流出側にも設けても良い。また、第１復水部１７及び第２復水部１８の冷却水の通流の向きは、同時に反転させても良いし、別々に反転させても良い。いずれにしても、独立に冷却水通流経路の切換操作が可能である。第１復水部１７及び第２復水部１８の冷却水の通流の向きは、独立に反転させることによって、従来技術におけるように、交互に洗浄する必要もなく、運用上の自由度を確保することができる。
【産業上の利用可能性】
【００３９】
汽力発電設備のほか、コンバインドサイクル発電設備においても適用できる。また、火力発電所のほか、原子力発電所においても適用できる。また、冷却水の取水源及び放水先としては、それぞれ、海洋のほか、河川や湖沼等の場合にも適用できる。
【符号の説明】
【００４０】
１  火力発電設備
６  復水ユニット
９  復水器
１１  冷却水供給部（冷却水供給手段）
１７  第１復水部（復水部）
１８  第２復水部（復水部）
２１，２２  冷却水ポンプ（ポンプ装置）
２３，２４  第１流入配管（第１の配管）
２５，２６  第１分岐配管（第１の配管）
２７，２８  第１入口配管（第１の配管又は第２の配管）
２９，３１，３２  第１流出配管（第２の配管）
３４，３５  第２流入配管（第１の配管）
３６，３７  第２分岐配管（第１の配管）
３８，３９  第２入口配管（第１の配管又は第２の配管）
４１，４２，４３  第２流出配管（第２の配管）
４４  連絡配管（第１の配管）
４６  第１復水部第１入口弁（流路切換手段の一部、第１の弁装置）
４７  第１復水部第２入口弁（流路切換手段の一部、第１の弁装置）
４８  第１復水部第１出口弁（流路切換手段の一部、第２の弁装置）
４９  第１復水部第２出口弁（流路切換手段の一部、第２の弁装置）
５１  第２復水部第１入口弁（流路切換手段の一部、第１の弁装置）
５２  第２復水部第２入口弁（流路切換手段の一部、第１の弁装置）
５３  第２復水部第１出口弁（流路切換手段の一部、第２の弁装置）
５４  第２復水部第２出口弁（流路切換手段の一部、第２の弁装置）
Ｑａ  取水路（取水源）
Ｑｂ  放水路（放水先）
【図１】
2010196956.tif 000003
【図２】
2010196956.tif 000004
【図３】
2010196956.tif 000005
【図４】
2010196956.tif 000006
【図５】
2010196956.tif 000007
【図６】
2010196956.tif 000008